(57)【要約】  コネクタ受け部を有する空調装置を天井に設置し、空調装置の周囲に設置される複数の照明灯具の数だけ用意された配線を用いて、空調装置とその周囲に配置される複数の照明灯具とを電気的に接続する。また、空調装置は、照明灯具用の電源電圧に変換された電源を、電気的に接続された複数の照明灯具に供給する。天井裏に通された配線を、天井材の開口から取り出して、照明灯具に配線を接続し、照明灯具を天井に設置する。操作部を操作して、空調装置と、その空調装置の周囲に配置された複数の照明灯具と、がまとめて制御される。
2020129828.tif 000002
【特許請求の範囲】
【請求項１】
建築物を建設する方法であって、
天井裏に、空調装置への電源供給のための第１配線を設ける工程と、
複数の天井材を吊り材で固定して天井を形成する工程と、
照明灯具への電源供給のためのコネクタ受け部が設けられ、前記第１配線からの電源供給を受け、コンバータにより変換された電源電圧を前記照明灯具に供給する前記空調装置を用意する工程と、
前記空調装置から電源供給を受ける複数の前記照明灯具を用意する工程と、
前記空調装置から電源供給を受けるための第１コネクタを一端に有し、前記照明灯具と接続するための第２コネクタを他端に有する第２配線を、前記空調装置から電源供給を受ける前記照明灯具の数分用意する工程と、
前記天井材に設けられた前記空調装置用の開口を介して、形成された天井の上方にある天井裏空間に配された前記第１配線と、形成された天井の下方にある居室空間において用意された前記空調装置とを接続する工程と、
前記第２配線の第１コネクタを、前記空調装置に設けられた前記コネクタ受け部に接続する工程と、
前記空調装置を吊り材で固定する工程と、
前記コネクタ受け部に前記第２配線が接続され、かつ、吊り材で固定された前記空調装置を、天井に設置する工程と、
前記空調装置から電源供給を受ける前記照明灯具の数分用意された前記第２配線を、天井裏空間を通るようにして、前記空調装置から電源供給を受ける複数の前記照明灯具に接続する工程と、
を有する方法。
【請求項２】
前記空調装置を用意する工程において、複数の前記コネクタ受け部が設けられた前記空調装置を用意し、
前記コネクタ受け部に接続する工程において、前記空調装置から電源供給を受ける複数の前記照明灯具の数分用意された前記第２配線の第１コネクタを、前記空調装置に設けられた複数の前記コネクタ受け部に接続し、
前記照明灯具に接続する工程において、前記空調装置に接続する前記照明灯具の数分用意された前記第２配線の前記第２コネクタを、前記空調装置から電源供給を受ける複数の前記照明灯具のそれぞれに接続する請求項１に記載の方法。
【請求項３】
前記照明灯具に接続する工程において、天井に設置される前記空調装置の周囲に配置された複数の前記天井材に設けられた開口を介して天井に設置される複数の前記照明灯具に、前記第２配線を接続する請求項１または２に記載の方法。
【請求項４】
前記第２配線が接続された前記照明灯具を、天井に設置する工程をさらに有し、
前記空調装置を用意する工程において、形成される天井に設置する複数の前記空調装置を用意し、
複数の前記空調装置のそれぞれが、近傍に設置される複数の前記照明灯具と電気的に接続して、複数の前記空調装置及び複数の前記照明灯具が天井に設置される請求項１乃至３のいずれか一項に記載の方法。
【請求項５】
複数の前記空調装置に関して、前記空調装置及び当該空調装置から電源供給を受ける複数の前記照明灯具が天井に配置されるときの配置構造が同じとなるように、複数の前記空調装置と複数の前記照明灯具とが天井に設置される請求項４に記載の方法。
【請求項６】
前記空調装置は、側面及び上面を有するケーシングと、下面で天井面を形成し上面で前記ケーシングと接続する天井面パネルと、を有し、前記ケーシングの側面に前記コネクタ受け部が設けられており、
前記コネクタ受け部に接続する工程において、前記第２配線の第１コネクタを、前記空調装置の前記ケーシングの側面に設けられた前記コネクタ受け部に接続する請求項１乃至５のいずれか一項に記載の方法。
【請求項７】
前記空調装置は、少なくとも、前記ケーシングの対向する２つの側面のそれぞれに、前記コネクタ受け部が設けられており、
前記コネクタ受け部に接続する工程において、前記空調装置の前記ケーシングの２つの側面に設けられた前記コネクタ受け部のそれぞれに、前記第２配線の第１コネクタを接続する請求項６に記載の方法。
【請求項８】
建築物の建設における空調装置及び照明灯具の設置方法であって、
前記空調装置への電源供給のために天井裏空間に配された第１配線を、照明灯具への電源供給のためのコネクタ受け部が設けられ、第１配線からの電源供給を受け、コンバータにより変換された電源電圧を前記照明灯具に供給する前記空調装置に接続する工程と、
前記空調装置から電源供給を受けるための第１コネクタを一端に有し、前記照明灯具と接続するための第２コネクタを他端に有する第２配線の前記第１コネクタを、前記空調装置に設けられた前記コネクタ受け部に接続する工程と、
前記空調装置を吊り材で固定する工程と、
前記コネクタ受け部に前記第２配線が接続され、かつ、吊り材で固定された前記空調装置を、天井に設置する工程と、
前記空調装置から電源供給を受ける前記照明灯具の数分用意された前記第２配線を、天井裏空間を通るようにして、前記空調装置から電源供給を受ける複数の前記照明灯具に接続する工程と、
を有する方法。
【請求項９】
前記第１配線を前記空調装置に接続する工程は、電気工事士の資格を有する者によって実行され、
前記照明灯具に接続する工程は、電気工事士の資格を有さない者であっても実行することが認められている工程である請求項８に記載の方法。
【請求項１０】
建築物の居室空間に設置される空調装置及び照明灯具を制御する機器制御システムであって、
天井に設置される複数の前記空調装置と、
天井に設置される前記空調装置の数よりも多い複数の前記照明灯具と、
前記空調装置及び前記照明灯具に対する操作をユーザが行うための操作部と、を有し、
前記空調装置は、前記照明灯具に電源電圧を供給するためのコネクタ受け部を有し、
前記空調装置の近傍に設置される複数の前記照明灯具は、当該空調装置の前記コネクタ受け部に接続された配線と電気的に接続して、前記空調装置から電源電圧の供給を受け、
前記操作部は、前記空調装置と、当該空調装置から電源電圧の供給を受ける複数の前記照明灯具と、に対する指示をまとめて行う操作をユーザに提供することができる機器制御システム。
【請求項１１】
建築物の居室空間に設置される空調装置及び照明灯具を制御する機器制御システムであって、
天井に設置される複数の前記空調装置と、
天井に設置される複数の前記空調装置の周辺に設置される複数の前記照明灯具と、を有し、
複数の前記空調装置のそれぞれが、
前記照明灯具に電源電圧を供給するためのコネクタ受け部と、
当該空調装置の前記コネクタ受け部に接続された配線と電気的に接続し、かつ、天井において当該空調装置の近傍に設置される４台以上の前記照明灯具への電源電圧の供給を制御する制御部と、
を有する機器制御システム。
【請求項１２】
上面及び複数の側面を有するケーシングと、
下面で天井面を形成し、上面で前記ケーシングと接続する天井面パネルと、
空気調和部と、
前記空気調和部を動作させるための電源電圧の供給を制御する空調動作制御部、及び、照明灯具への電源供給を制御する照明電源制御部を備える制御部と、
前記ケーシングの複数の側面に設けられる４以上のコネクタ受け部と、
を有する空調装置。
【発明の詳細な説明】
【技術分野】
【０００１】
本発明は、建築物、建築物の建設方法、照明灯具及び空調装置の設置方法、機器制御システム、及び、空調装置に関する。
【背景技術】
【０００２】
オフィスビル、工場、商業施設、あるいはこれらに限らずほとんど全ての建物において、照明や空調は欠かせない要素となっている。また、ビルを建設する場合、基礎工事から、躯体工事、仕上げ工事、設備工事、といった流れで作業が進められる。【０００３】
照明や空調などの電気設備の設置は、躯体が出来上がった後で行われる。特許文献１には、照明などの天井据付機器を天井側へ取り付けるときの作業を迅速かつ容易に行える天井据付機器用支持装置が開示されている。また、特許文献２には、天井設置タイプの空気調和機の施工作業を効率的に行う施工方法が開示されている。
【先行技術文献】
【特許文献】
【０００４】
【特許文献１】特開２００６−７０５６１号
【特許文献２】特許第６３８８７４２号
【発明の概要】
【発明が解決しようとする課題】
【０００５】
しかしながら、建築物の建設において効率的に照明と空調を連携させる仕組み、あるいは、設置方法については十分に検討されていない。
【課題を解決するための手段】
【０００６】
本発明の一実施形態に係る建築物は、天井裏に、空調装置への電源供給のための第１配線を設ける工程と、複数の天井材を吊り材で固定して天井を形成する工程と、照明灯具への電源供給のためのコネクタ受け部が設けられ、前記第１配線からの電源供給を受け、コンバータにより変換された電源電圧を前記照明灯具に供給する前記空調装置を用意する工程と、前記空調装置から電源供給を受ける複数の前記照明灯具を用意する工程と、前記空調装置から電源供給を受けるための第１コネクタを一端に有し、前記照明灯具と接続するための第２コネクタを他端に有する第２配線を、前記空調装置から電源供給を受ける前記照明灯具の数分用意する工程と、前記天井材に設けられた前記空調装置用の開口を介して、形成された天井の上方にある天井裏空間に配された前記第１配線と、形成された天井の下方にある居室空間において用意された前記空調装置とを接続する工程と、前記第２配線の第１コネクタを、前記空調装置に設けられた前記コネクタ受け部に接続する工程と、前記空調装置を吊り材で固定する工程と、前記コネクタ受け部に前記第２配線が接続され、かつ、吊り材で固定された前記空調装置を、天井に設置する工程と、前記空調装置から電源供給を受ける前記照明灯具の数分用意された前記第２配線を、天井裏空間を通るようにして、前記空調装置から電源供給を受ける複数の前記照明灯具に接続する工程と、を有する方法により建設される。【０００７】
また、本発明の一実施形態に係る建築物において、空調装置及び照明灯具は、前記空調装置への電源供給のために天井裏空間に配された第１配線を、照明灯具への電源供給のためのコネクタ受け部が設けられ、第１配線からの電源供給を受け、コンバータにより変換された電源電圧を前記照明灯具に供給する前記空調装置に接続する工程と、前記空調装置から電源供給を受けるための第１コネクタを一端に有し、前記照明灯具と接続するための第２コネクタを他端に有する第２配線の前記第１コネクタを、前記空調装置に設けられた前記コネクタ受け部に接続する工程と、前記空調装置を吊り材で固定する工程と、前記コネクタ受け部に前記第２配線が接続され、かつ、吊り材で固定された前記空調装置を、天井に設置する工程と、前記空調装置から電源供給を受ける前記照明灯具の数分用意された前記第２配線を、天井裏空間を通るようにして、前記空調装置から電源供給を受ける複数の前記照明灯具に接続する工程と、を有する方法により設置される。【０００８】
また、本発明の一実施形態に係る機器制御システムは、天井に設置される複数の前記空調装置と、天井に設置される前記空調装置の数よりも多い複数の前記照明灯具と、前記空調装置及び前記照明灯具に対する操作をユーザが行うための操作部と、を有するシステムであって、前記空調装置は、前記照明灯具に電源電圧を供給するためのコネクタ受け部を有し、前記空調装置の近傍に設置される複数の前記照明灯具は、当該空調装置の前記コネクタ受け部に接続された配線と電気的に接続して、前記空調装置から電源電圧の供給を受け、前記操作部は、前記空調装置と、当該空調装置から電源電圧の供給を受ける複数の前記照明灯具と、に対する指示をまとめて行う操作をユーザに提供することができるシステムを構成し、建築物の居室空間に設置される空調装置及び照明灯具を制御する。【０００９】
また、本発明の一実施形態に係る機器制御システムは、天井に設置される複数の前記空調装置と、天井に設置される複数の前記空調装置の周辺に設置される複数の前記照明灯具と、を有し、複数の前記空調装置のそれぞれが、前記照明灯具に電源電圧を供給するためのコネクタ受け部と、当該空調装置の前記コネクタ受け部に接続された配線と電気的に接続し、かつ、天井において当該空調装置の近傍に設置される４台以上の前記照明灯具への電源電圧の供給を制御する制御部と、を有し、建築物の居室空間に設置される空調装置及び照明灯具を制御する。【００１０】
また、本発明の一実施形態に係る空調装置は、上面及び複数の側面を有するケーシングと、下面で天井面を形成し、上面で前記ケーシングと接続する天井面パネルと、空気調和部と、前記空気調和部を動作させるための電源電圧の供給を制御する空調動作制御部、及び、照明灯具への電源供給を制御する照明電源制御部を備える制御部と、前記ケーシングの複数の側面に設けられる４以上のコネクタ受け部と、を有する。
【発明の効果】
【００１１】
本発明によれば、効率的に照明と空調を連携させた建築物を構成することができる。
【図面の簡単な説明】
【００１２】
【図１】建築物が建設されるまでの工程における照明設置の流れを説明するためのフロー図である。
【図２】実施形態に係る建築物の居室の構造の一例を記した模式図である。
【図３】実施形態に係る空調装置の斜視図である。
【図４】実施形態に係る空調装置のハードウェア構成を説明するためのブロック図である。
【図５】実施形態に係る空調装置のソフトウェア構成を説明するためのブロック図である。
【図６】実施形態に係る建築物の建設における天井裏空間の構造を示す図である。
【図７】実施形態に係る空調装置の設置方法を説明するための図である。
【図８】実施形態に係る空調装置が天井に設置された状態を説明するための図である。
【図９】実施形態に係る照明灯具の斜視図である。
【図１０】実施形態に係る照明灯具の発光面について説明するための模式図である。
【図１１】実施形態に係る照明灯具における光源素子の斜視図である。
【図１２】実施形態に係る照明灯具の設置方法を説明するための図である。
【図１３】実施形態に係る建築物において実現される機器管理システムのシステム構成を示す図である。
【図１４】実施形態に係る操作部によって表示される操作画面の一例を記す図である。
【図１５】第２実施形態に係る空調装置の斜視図である。
【図１６】第２実施形態に係る空調装置のハードウェア構成を説明するためのブロック図である。
【図１７】第２実施形態に係る空調装置のソフトウェア構成を説明するためのブロック図である。
【発明を実施するための形態】
【００１３】
本発明を実施するための形態を、図面を参照しながら以下に説明する。ただし、以下に示す形態は、本発明の技術思想を具体化するためのものであって、本発明を限定するものではない。さらに以下の説明において、同一の名称、符号については同一もしくは同質の部材を示しており、詳細説明を適宜省略する。なお、各図面が示す部材の大きさや位置関係等は、説明を明確にするために誇張していることがある。
【００１４】
図１は、建築物が建設されるまでの工程の流れを説明するためのフロー図である。ここでは一般的なオフィスビルのように、複数階の構造を有し、通路と居室を有する建築物を対象とする。オフィスビルのような大規模な建築物の建設では、総合建設業者が建設工事の発注を請負い、種々の業者によって作業される建設工事全体の取りまとめを行う。
【００１５】
まず、設計士やデザイナーが建築物の設計を行う（ステップＳ１）。この工程において、通路や居室のレイアウトなどが決められ、建築物の全体的なデザインが設計図面に記される。また、採用する建築材料や、照明灯具などの電気設備資材や、空調装置についてもある程度決められ、その配置についても図面に記される。
【００１６】
次に、決められた設計に基づいて、建築材料や建設機械が用意され、基礎工事が行われる（ステップＳ２）。この工程では、杭工事や土工事を行うことにより建築物の荷重に耐え得る安定した地盤を確保する。ここでは主に、土木工事を行う業者の作業員が作業を行う。なお、土木工事業者の作業員に限らず、他の業者の作業員も作業を行っている。
【００１７】
次に、安定した地盤の上に建築物の躯体を形成する躯体工事が行われる（ステップＳ３）。躯体工事としては、基礎部分や地下階を有する場合には地下階など地下の工事から始まり、地上階へと進んでいく。コンクリートの打設、柱の建込み、鉄骨の組み立てなどを行い、建築物全体の骨組みが完成する。また、外壁、屋上、各階の床等にもコンクリートが打設される。
【００１８】
また、躯体工事では、後の内装工事において吊りボルトなどの吊り材を吊り下げるために、インサートが埋め込まれる。例えば、吊りボルトを固定するための天井インサートを、上階の床スラブ（鉄筋コンクリートの床板など）の打設時にスラブの一部として固定する。ここでは主に、土木工事を行う業者の作業員や、とび・土工・コンクリート工事を行う業者の作業員などが作業を行う。次に、建築物の外装工事が行われる（ステップＳ４）。外壁のタイル張りや、窓サッシ、窓ガラス、カーテンウォールなどが取り付けられる。また、塗装なども行われる。
【００１９】
次に、内装工事が行われる（ステップＳ５）。内装工事では、天井、壁、床を作り上げる。天井を設置する天井工事では、ステップＳ３の躯体工事で設けられた天井インサートから吊りボルトを下げ、軽量鉄骨材を組み合わせた下地に、天井板や天井下地材などの天井面を構成する部材である天井材が取り付けられる。天井材の支持には、吊りボルトやハンガー等の吊り材及び斜め部材などが用いられ、これにより天井板の脱落といった危険を防止するための危険防止措置が取られる。
【００２０】
例えば日本国では、建築基準法や施行令などにより、このような天井脱落を防止するための規定が設けられている。その一つに、既定の条件を満たす天井材を設けるときには吊り材等により固定を行うなどの脱落防止措置を施しておくことが規定されている。例えば、空調装置は重量のある装置のため、脱落防止措置をする必要がある。また、照明灯具についても、従来の所謂ベース照明と言われるような、大型で重量のある照明灯具についても吊り材による固定を必要とする。
【００２１】
なお、吊りボルトを固定するための天井インサートは、コンクリートの打設の際に設置する代わりに、打設後にコンクリートにアンカーを打ち吊りボルトを固定することも可能ではある。しかし、効率面や安全面を考慮すれば事前に設置される方が好ましく、吊り材が設けられることがわかっている場所については、設計の段階で天井インサートの配置が決められ、コンクリートの打設の際に埋め込まれるのが望ましい。
【００２２】
また、内装工事では、天井を張る前、つまり天井材による天井の形成が完了する前に、配管や空調のダクトの吊り込みをしておき、電線などを配管内に通す作業も行われる。そのため、天井裏には、電気配線やダクト、空調装置などを設置するために必要な空間が設けられる。またさらに、照明や空調が設置される場所に合わせて天井材に開口が設けられる。ここで、天井内のダクト設置や吊り材による天井材の固定といった作業は、内装工事を行う業者の作業員などが作業を行う。一方で、電気配線を設ける作業は、感電等の危険があるため、電気工事を行うことのできる専門的な作業員によって行われる。
【００２３】
天井を設置する天井工事の作業者と、天井裏に電気配線を通す配線工事の作業者と、は多くの場合は別人であることが想定される。なお、日本国では、電気工事士の資格を有さない者による配線工事などの電気工事は許可されていない。このように建築物の建設は、種々の専門的な業者から作業員が派遣され、それぞれが専門的な作業を行うことで安全面に配慮している。
【００２４】
本明細書において、建築物の建設のために天井材を準備して天井工事を行う業者の作業員を天井設置作業者と呼ぶ。また、建築物の建設のために電気配線を準備して配線工事を行う業者の作業員を配線工事作業者と呼ぶ。なお、建築物の建設における各工程の工事は、通常複数の作業者によって行われる。従って、天井設置作業者とは一人の作業者に限らず、建築物の建設において天井工事を行う１以上の作業者を指す。配線工事作業者などについても同様である。
【００２５】
次に、内装工事を終え、床や壁や天井が出来上がると、設置工事が行われる（ステップＳ６）。設置工事では、建築物を実際に利用する際に必要になる設備が設置される。例えば、電気、ガス、水道、排水、空調、トイレ、防災、放送などのための設備や、照明、エスカレーター、エレベーターなどの設備が配置される。これらの作業は、電気工事、電気通信工事、水道施設工事、消防施設工事、清掃施設工事などの事業者の作業員が行う。
【００２６】
照明や空調の設置工事においては、これらを電気的に接続する必要があるため、電気工事士の資格者による作業を要する。なお、照明が設置される場所は天井に限らないが、天井に設置される照明灯具は、通常であれば電気工事士の資格者によって天井裏に用意された配線に接続され、電気的に接続される。空調の設備工事において天井に空調装置を設置する場合も、電気工事士の資格者によって天井裏に用意された配線に接続される。
【００２７】
通常では、オフィスビルのような建築物の居室において、天井に配置される大型の照明灯具や空調装置は吊り材によって固定される。従って、このような大型の照明灯具や空調装置の設置工事を行う作業員は、大型の照明灯具や空調装置を天井インサートから吊り下げられた吊り材に固定して天井に設置する作業も行うことになる。
【００２８】
なお、照明の設置工事と空調の設置工事とが、別々に行われることは珍しくない。照明灯具の製造者は、照明の設置工事に間に合わせるように、建設に必要な照明灯具を製造する。同様に、空調装置の製造者は、空調の設置工事に間に合わせるように、建設に必要な空調装置を製造する。本明細書において、照明灯具を製造して提供する業者を照明灯具供給者、空調装置を製造して提供する業者を空調装置提供者と呼ぶ。
【００２９】
＜第一実施形態＞
次に、第一実施形態に係る建築物の建設プロセスについて説明する。第一実施形態に係る建築物１は、複数階の構造を有し、通路と居室を有する。なお、一階建ての建築物であってもよい。図２は、建築物１の特定の階における居室の構造の一例を記した模式図である。
【００３０】
建築物１は、床２と、壁３と、天井４と、窓５と、により居室空間を形成する。なお、窓５が無く側面が壁３だけの居室であっても構わない。また、天井には、複数の照明灯具１０と、複数の空調装置９０とが設置されている。
【００３１】
例えば、オフィスビルのような建築物の場合、通路などの狭い空間における照明にはダウンライトなどの小型の天井設置器具が設置され、居室などの広い空間では主にベース照明などの大型の照明灯具が設置される。このような場合、居室に設置される照明灯具１０には大型の照明灯具が多く設置され、小型の照明灯具は設置されないか居室の一部の領域に少数設置されることが典型である。また、居室において、空調装置９０の設置台数よりも、照明灯具１０の設置台数の方が多いことが典型である。
【００３２】
居室では、照明灯具１０と空調装置９０とが規則的に配置される。図２の例では、１台の空調装置９０がそれぞれ３台ずつの照明灯具１０によって対向するように挟まれた構造を規則性のある１つのセットと捉えることができる。そして、居室において照明灯具１０と空調装置９０は、行列状にセットを並べたような配置で設置されている。オフィスでは従業員が仕事をするための机が何列も並べられ、場所によって環境にあまり差が生じないように、照明灯具１０及び空調装置９０は規則的に配置される方が好ましい。
【００３３】
図２の例では、破線で天井４を仮想的な４つの領域に分けている。このようにセットを形成する領域が４つあり、ここでは便宜的にそれぞれを領域Ａ、領域Ｂ、領域Ｃ、領域Ｄと記すこととする。なお、全ての領域が、同じセット、つまり、同じ配置構造で構成されなくてもよい。また、必ずしも規則性のある配列のみで構成されなくてよい。天井４には、天井４に設置される１台の空調装置９０と、その空調装置９０の周辺に設置される複数の照明灯具１０とを囲む領域が複数ある。
【００３４】
図２に示されている照明灯具１０は、照明灯具の性能としてはベース照明に相当する性能を有しつつも、照明の設置工事においては吊り材による固定を要さないような照明灯具である。つまり、照明灯具１０は、ベース照明相当として取り扱えるほど大型でありながら、吊り材を要さないほど軽量である、軽量大型照明灯具である。
【００３５】
ここで、本明細書における軽量大型照明灯具とは、全光束が２５００ｌｍ以上であるか、床に最も近い面である発光面の面積が４５０００ｍｍ２以上であるか、光源素子が１００個以上配されているか、の少なくとも一を満たす照明灯具を指すものとする。またあるいは、これに加えて、重量が０．５ｋｇ以上から２．５ｋｇ未満であるという条件により、軽量大型照明灯具の特性をさらに特定してもよい。
【００３６】
次に、空調装置９０について説明する。図３は空調装置９０の斜視図である。図４は空調装置９０の内部におけるハードウェア構成を説明するためのブロック図である。図５は空調装置９０におけるソフトウェア構成を説明するためのブロック図である。
【００３７】
空調装置９０は、天井埋込型の室内機であり、その外形において、ケーシング９１、天井面パネル９２、４つの固定部９３、及び、８つのコネクタ受け部９４、を有する。また、ケーシング９１と天井面パネル９２とで囲まれた内側に、制御部９５、空気調和部９６、電源供給部９７、コンバータ９８、及び、照明接続部９９、を有する。
【００３８】
ケーシング９１は、下端面が開口された箱状体からなり、空調装置９０の側面及び上面を形成する。上面は正方形あるいは長方形の矩形形状を有しており、４つの側面のそれぞれが、上面の各辺に対応し、それぞれ垂直に交わって下方へと伸びる。上面の辺と辺が交わる端部において角取がされており、角取がされた領域も直線となっている。従って、側面においても角取された領域に対応して平面が設けられている。ここで、矩形形状に対応した４つの側面を主側面、端部の角取された領域に応じた側面を端側面、と呼ぶものとする。
【００３９】
ケーシング９１の４つの端側面のそれぞれにおいて、固定部９３が設けられる。この固定部９３を用いて、空調装置９０は吊り材３０に固定される。ケーシング９１の４つの主側面のそれぞれにおいては、２つのコネクタ受け部９４が横方向に並んで設けられている。コネクタ受け部９４には、照明灯具１０に接続される配線のコネクタを接続することができる。なお、固定部９３と、コネクタ受け部９４は、同じ側面に設けられてもよい。具体的には、どちらも端側面に設けられていてもよい。あるいは、どちらも主側面に設けられていてもよい。また、主側面及び端側面の両方に設けられていてもよい。
【００４０】
天井面パネル９２は、下面で天井面を形成し、上面でケーシング９１と接続する。また、ケーシング９１の開口を覆うようにして、ケーシング９１に取り付けられる。また、天井面パネル９２には、空気調和部９６によって生成された冷風や温風などを吹き出す吹出口や、室内の空気を吸い込む吸込口が設けられている。天井面パネル９２の上面及び下面は正方形あるいは長方形の矩形形状を有しており、４つの辺はそれぞれ、ケーシング９１の対応する主側面と平行である。従って、天井面パネル９２は、上面あるいは下面の各辺をケーシング９１の主側面の向きに合わせるようにして取り付けられる。
【００４１】
制御部９５は、ＲＯＭ、ＲＡＭ、ＣＰＵ等を有する。ＲＯＭは、各種のプログラムやプログラムによって利用されるデータ等が記憶するメモリである。ＲＡＭは、プログラムをロードするための記憶領域や、ロードされたプログラムのワーク領域等として用いられるメモリである。ＣＰＵは、ＲＡＭにロードされたプログラムを処理することにより、各種の機能を実現するプロセッサである。
【００４２】
空気調和部９６は、室内熱交換器、室内ファン、ドレンパン等を有する。室内熱交換器は、フィン・アンド・チューブ式の熱交換器であり、冷房運転時には冷媒の蒸発器として機能して室内空気を冷却し、暖房運転時には冷媒の凝縮器として機能して室内空気を加熱する。
【００４３】
室内ファンは、クロスフローファンであり、ファンと、ファンを回転させるためのファンモータとを有している。また、室内ファンは、室内の空気の吸い込みと、室内への吹き出しを行う。室内ファンによって吸込口から吸い込まれた空気を室内熱交換器による熱交換で調和し、調和された空気を吹出口から室内に吹き出る。室内ファンは、室内熱交換器に供給する空気の風量を所定風量範囲において調整することができる。ドレンパンは、室内熱交換器による熱交換で空気中の水分が凝縮されて生じるドレンを受け止める。
【００４４】
電源供給部９７は、空気調和部９６を動作させるための電源電圧を供給する。また、照明接続部９９を介して照明灯具１０に電源電圧を供給する。コンバータ９８は、照明灯具１０に電源電圧を供給する場合に、電源供給部９７から供給される電源電圧を、照明灯具１０の規格に合わせた電源電圧へと変換する。従って、照明灯具１０に電源電圧を供給する場合、電源供給部９７はコンバータ９８を経由して、照明接続部９９から照明灯具１０へと電源電圧を供給する。
【００４５】
天井埋込型の空調装置９０は、広い居室空間の空調を制御するために、例えば、２００ＶのＡＣ電源と接続して電源電圧の供給を受ける。一方で、照明灯具１０は、１００ＶのＤＣ電源電圧によって動作する。このような場合に、コンバータ９８は、２００ＶのＡＣ電源電圧を、１００ＶのＤＣ電源電圧へと変換する。なお、コンバータ９８は、空調装置９０に組み込まれず、空調装置９０と配線で接続する形態であってもよい。電源供給部９７は、照明灯具１０に電源電圧を供給する際には、コンバータにより変換された電源電圧を供給する。
【００４６】
照明接続部９９は、第１接続部から第８接続部までの、８つの接続部を有する。８つの接続部と８つのコネクタ受け部９４とは１対１で対応する。コネクタ受け部９４に挿入された配線に接続されている照明灯具１０へと電源電圧を供給するための電気的な接続を実現する。
【００４７】
制御部９５は、操作受付部９５１、空調動作制御部９５２、照明電源制御部９５３、の機能を構成する。これら各機能部は、プログラムがＣＰＵに実行させる処理によって実現される。操作受付部９５１は、空調装置９０に対するユーザの操作を受け付ける。また、照明灯具１０に対するユーザの操作を受け付ける。ユーザによる操作は、居室の壁３に設置される操作部や、携帯可能なリモート式の操作部を用いて行われ、例えば、その操作には空調機能や照明のＯＮ／ＯＦＦなどがある。
【００４８】
空調動作制御部９５２は、空調機能を制御するために、空気調和部９６や電源供給部９７の動作を制御する。例えば、空気調和部９６のモータを駆動するために電源供給部９７から電源電圧を供給させ、室内ファンを機能させる。操作受付部９５１によって受け付けられた操作の指示内容に基づいて、空気調和部９６の動作は調整される。例えば、冷房運転であるか、暖房運転であるか、設定温度が何度であるか、風量はどの程度か、といった指示内容に基づいて制御する。
【００４９】
照明電源制御部９５３は、コネクタ受け部９４を介して接続された照明灯具１０に対する電源電圧の供給を制御する。電源供給部９７からの電源電圧をコンバータ９８によって変換させ、照明灯具１０と接続された接続部から、照明灯具１０に適した電源電圧を供給させる。
【００５０】
次に、第一実施形態に係る建築物１の建設において空調装置９０が設置されるまでの工程を説明する。なお、図１を利用して既に説明した建築物が建設されるまでの工程と異なる点を詳細に説明し、重複する点については説明を簡易的にあるいは省略する。
【００５１】
ステップＳ２〜ステップＳ４までの工程については、既にした説明と概ね同様である。次に、ステップＳ５の内装工事では、天井を設ける天井工事が行われる。また、天井を張る前に、天井裏に配される配線が天井よりも高い位置に通される。図６は、天井工事が行われた状態の天井裏の一例を示している。また、図６は、図２の居室の領域Ａにおける天井裏の例を示している。
【００５２】
図６にあるように、天井裏は、コンクリートが打設された躯体８０によって上面と側面が、天井材４０が配された天井４によって下面が形成された空間を有している。また、天井４を形成する各天井材４０は、躯体８０の天井インサートに繋がれた吊り材２０によって固定され、支えられている。また、空調装置９０を固定するために、１台の空調装置９０につき４本の吊り材３０が設けられている。なお、１台の空調装置９０あたりの吊り材３０の本数は４本に限る必要はない。図６の時点では、まだ空調装置９０は取り付けられておらず、吊り材３０は空調装置９０を支持していない。
【００５３】
天井裏の空間には、配管を通って設けられた配線５０が用意される。この配線は、設計図面に基づき、天井裏に設置される空調装置９０の設置台数に応じて設けられる。配線５０は、配管を通って、外部電源からの電源電圧の供給を受けるために用意される。ここで、空調装置９０に供給する電源電圧は照明灯具１０に供給される電圧よりも高く、ここでは、配線５０と接続して２００ＶのＡＣ電源電圧の供給を受けることができる。なお、配線は、空調装置９０用のものに限らず、その他の電気接続機器への電源供給に十分な数の配線が用意され、天井４は設けられる。
【００５４】
天井材４０には、空調装置９０や照明灯具１０など、天井設置器具を設置するための開口が設けられる。四角の開口は、空調装置９０のための開口であり、円形の開口は、照明灯具１０のための開口である。図９の例では、３×３の計９枚の天井材４０において、中心にある１枚の天井材４０に空調装置９０を設置するための開口が設けられる。また、この１枚の天井材を挟んで３枚ずつの天井材４０に照明灯具１０を設置するための開口が設けられる。領域Ｂ〜Ｄについても、躯体８０との配置関係に違いはあるが、同様にして、吊り材２０、吊り材３０、天井材４０、配線５０、が設けられる。
【００５５】
このようにして天井４が設けられた上で、ステップＳ６の設備工事において、空調装置９０の設置工事が行われる。図７及び図８は、空調装置９０の設置方法を説明するための図である。図７は、吊り材３０、天井材４０、空調装置９０の接続関係を天井面側（居室空間側）から俯瞰した態様で示している。また、図８は、空調装置９０が天井に設置された状態を、天井裏側から見たときの構造を示している。
【００５６】
なお、建築物に天井４が設けられた時点で、図２で示した居室を形成する空間である居室空間と、図６で示した天井裏を形成する空間である天井裏空間と、は天井面を境に区別された空間として扱う。なお、天井面とは、天井材が設置される平面である。つまり、天井面を境界にして天井４の上側（上方）の空間が天井裏空間、下側（下方）の空間が居室空間である。また、例えば、２階以上の建築物である場合、２階の居室空間の下には、躯体を挟んで１階の天井裏空間が設けられる。
【００５７】
図７に示すように、空調装置９０を吊り材３０に固定して天井材４０の開口を塞ぐ前に、天井裏を通るようにして、天井裏空間にコネクタ付きの配線６０が用意される。一方で、配線５０にはコネクタは付いていない。配線６０は、空調装置９０用の開口が塞がれる前であれば、吊り材３０で固定された後に用意されてもよい。この配線６０は、照明灯具１０との接続のための配線ケーブルである。また、領域Ａの空調装置９０は、領域Ａに設置される照明灯具１０と接続する。このため、配線６０は領域Ａの空調装置９０に接続される照明灯具１０の数分用意され、図６の例に基づけば、６本の配線６０が用意される。なお、配線５０と配線６０とを便宜的に区別するために、配線５０を第１配線、配線６０を第２配線、と呼ぶことがある。
【００５８】
空調装置９０への電源供給のために、配線５０との接続作業が行われる。日本国では、この作業は、電気工事士の資格を有する者が行う必要がある。また、６本の配線６０のそれぞれのコネクタを空調装置９０の８つのコネクタ受け部９４のうちの６つに挿入して照明接続部９９に接続させる。この作業は、電気工事士の資格を有さない者であっても行うことができる。コネクタは、任意のコネクタ受け部９４に挿入できるが、照明灯具１０から近い場所にあるコネクタ受け部９４に挿入するのが好ましい。配線同士が絡み合ったり、混線したりすることを出来るだけ避けるためである。
【００５９】
空調装置９０が、４つの主側面に複数個のコネクタ受け部９４を用意しているのは、空調装置９０と照明灯具１０との配置関係、つまり、居室における天井４のレイアウトに柔軟に対応できるようにするためである。なお、コネクタ受け部９４及び照明接続部９９の接続部の数は、８つに限る必要はない。但し、１台の天井埋込型の空調装置９０がカバーする空調領域と、１台の照明灯具１０がカバーする照明領域との関係を考慮すると、４つ以上のコネクタ受け部９４を設けた空調装置が好ましい。
【００６０】
また、コネクタ受け部９４は、４つの主側面の全てに均等に設ける代わりに、対向する２つの主側面に設けてもよい。また、レイアウトに柔軟に対応するという観点では、複数の主側面に設けておくのが望ましいが、１つの主側面に４つ以上のコネクタ受け部を設けた空調装置であっても、配線接続が出来なくなるわけではなく、実現可能である。１台の空調装置に設けられるコネクタ受け部の数は、あまりに多すぎると使用されないものが多くなり非効率であるため１６以下が好ましい。但し、１７以上ある空調装置を否定するわけではない。
【００６１】
図８に示すように、６本の配線６０が接続された空調装置９０は、固定部９３によって吊り材３０に固定され、天井に設置される。また、６本の配線６０のそれぞれが、空調装置９０の周囲に設置される各照明灯具１０に対応した天井材４０の開口に通される。この開口の先で、照明灯具１０と配線６０とは接続し、天井材４０に設置される。なお、天井に設置する前の段階で空調装置９０は配線５０と接続しているが、図８では配線５０を省略している。
【００６２】
次に、天井材４０に設置される照明灯具１０の一例である軽量大型照明灯具について説明する。図９は天井に設置される設置面側から見た照明灯具１０の斜視図である。図１０は照明灯具１０の発光面について説明するための模式図である。図１１は照明灯具１０に用いられる光源素子１６を示す斜視図である。図１０乃至図１１に基づき説明される照明灯具１０は、縦４５０ｍｍ、横４５０ｍｍ、天井設置面から発光面までの高さが２０ｍｍの、発光面が正方形の照明灯具である。
【００６３】
なお、発光面は、縦６００ｍｍ、横６００ｍｍの正方形の照明灯具であってもよい。また、発光面が、縦１５０ｍｍ、横６００ｍｍの長方形の照明灯具であってもよい。このように、縦幅及び横幅は１５０ｍｍ単位で構成されているのが好ましいが、これは天井材の仕様に合わせているためである。つまり、天井材と同様に扱えるようにするために、縦幅及び横幅を１５０ｍｍの倍数としている。言い換えれば、天井材の仕様に対応した大きさであれば、１５０ｍｍでなくてもよく、例えば、１フィートを単位として扱っている場所であれば、１フィートの倍数で縦幅及び横幅を構成すればよい。
【００６４】
なお、縦７５ｍｍ、横６００ｍｍの長方形の照明灯具であってもよい。また、その他の多角形や、円形、楕円形の発光面でもよく、形状は制限されない。また、本願においては、四隅が面取り等された図形も含めて正方形あるいは長方形と呼ぶものとする。
【００６５】
照明灯具１０は、ベースプレート１１、カバー１２、緩衝部１３、ＤＣハーネス１４、基板１５、及び、光源素子１６を有する。ベースプレート１１は、照明灯具１０における補強板あるいは放熱板として機能する。例えば、矩形状に形成された金属板である。例えば、金属板はアルミニウムを材料として形成することができる。
【００６６】
なお、本明細書において「光源」とは、光を発する部材のことを指し、光源はＬＥＤに代表される発光素子であってよく、あるいは、発光素子と波長変換部材とを組み合わせたものであってもよい。「波長変換部材」は、発光素子が発する光の一部または全部を他の波長の光に変換する部材のことを指しており、例えば蛍光体部材を挙げることができる。
【００６７】
カバー１２は、基板１５に配された光源素子１６を覆うように設けられる。また、光源素子１６が発する光に対する透光性を有する。カバー１２は、例えば樹脂材に酸化チタン等を分散させた光拡散性を有する乳白色に形成されている。樹脂材としては、例えばアクリル樹脂を採用することができ、例えばポリメタクリル酸メチル樹脂を採用することができる。
【００６８】
緩衝部１３は、ベースプレート１１の天井設置面の外周に設けられる。緩衝部１３によって、ベースプレート１１の天井設置面が天井４（あるいは天井材４０）と直接接触することを防ぎ衝撃を緩衝する。また、緩衝部１３は、ベースプレート１１の外周の一部において設けられておらず、緩衝部１３の厚みによって取外しアーム挿入口Ｇを有する。
【００６９】
ＤＣハーネス１４は、後述するソケット７０に嵌め込まれる。このソケット７０は、天井材４０に取り付けられ、ＤＣハーネス１４は、ソケット７０を介して天井４に取り付けられる。
【００７０】
基板１５は、例えば樹脂またはセラミックの絶縁性の基板であり、複数の光源素子１６を配置する光源配置面を有する。また、基板１５の光源配置面には光源素子１６に電力を供給するための導電パターンが設けられている。導電パターンの材質は、基板１５の主材料に応じて適宜選択できる。例えば、セラミックス材から成る基板の場合、導電パターンには、セラミックスシートの焼成温度にも耐え得る高融点を有するものが好ましい。例えば、導電配線の材質が、タングステンおよび／またはモリブデンのような高融点の金属を含んで成るものであってよい。さらに、その上に鍍金やスパッタリング、蒸着などにより、ニッケル、金および／または銀など他の金属材料が被覆材として設けられたものであってもよい。また、樹脂材から成る基板の場合、導電パターンは、加工し易いものが好ましい。例えば、射出成型された樹脂から成る基板の場合、導電パターンは、打ち抜き加工、エッチング加工または屈曲加工などの加工がし易く、かつ、比較的大きい機械的強度を有するものが好ましい。具体的な導電パターンの材質を例示しておくと、銅、アルミニウム、金、銀、タングステン、ロジウム、鉄、ニッケル、およびモリブデン等の金属、ならびに、鉄−ニッケル合金、りん青銅、および鉄入り銅などを挙げることができる。
【００７１】
図６は、カバー１２の内部の構造がわかるように、カバー１２により覆われている一部分を取り除いた場合の図を示している。従って、実際には、照明灯具１０における基板１５や光源素子１６は、カバー１２によって覆われている。基板１５の光源配置面と反対側の面は、ベースプレート１１に接触する。基板１５には、複数のネジ穴Ｓが設けられており、ネジ穴Ｓを介してベースプレート１１にネジ止めされる。
【００７２】
光源素子１６は、基板１５に均等に配列される。４５０ｍｍ四方の光源配置面において、光源素子１６は、１５ｍｍ以上〜２０ｍｍ以下のピッチ間隔で配置される。図７に示されるように、光源素子１６は、発光素子１７と、波長変換部材１８と、封止部材１９とを含む。発光素子１７は、基板１５の光源配置面に実装され、発光素子１７の電極は基板１５に形成された導電パターンと電気的に接続されている。波長変換部材１８は発光素子１７を覆う。
【００７３】
封止部材１９は、電気的絶縁性を有し、光源から出射される光に対して透過可能（例えば、透過率７０％以上）であって、固化前（例えば硬化完了前）は流動性を有する材料を採用することができる。例えば、樹脂原料を含んでよく、シリコーン樹脂、エポキシ樹脂、フェノール樹脂、ポリカーボネート樹脂、アクリル樹脂、ＴＰＸ樹脂、ポリノルボルネン樹脂、又はこれらの変性樹脂やハイブリッド樹脂等を挙げることができる。なかでも、シリコーン樹脂は、耐熱性および／または耐光性に優れているので好ましい（本明細書でいう「シリコーン樹脂」は、その変性樹脂またはシリコーン骨格を少なくとも有する樹脂などを包括的に含む"シリコーン系樹脂"のことを指している）。このような封止原料は、必要に応じて、フィラーおよび／または蛍光体などを付加的に含有していてもよい。
【００７４】
封止部材１９は波長変換部材１８を覆う。封止部材１９において発光素子１７の上面の中心付近を覆う部分が凹んでいる。また、このような窪み部分を囲む周囲部分には複数の突起が設けられている。突起は、窪み部分の周囲におよそ均等に設けられて、隣り合う突起を結ぶ直線によって囲まれた領域内に窪み部分は収まる。このように、全体として扁平形状を有し、さらに、窪み部分と複数の突起を有する封止部材１９によって、光源素子１６はバットウイング形の配光特性を有する。
【００７５】
なお、好適なバットウイング形の配光特性を得るには、突起のサイズが大きすぎない方がよい。例えば、封止部材１９に関し、突起自体の高さを"ｈ"とし、隆起の高さ（突起を除いた場合の封止部材の高さ）を"Ｈ"とすると、０＜ｈ≦Ｈ／８を満たすのが好ましく、０＜ｈ≦Ｈ／１０を満たすのがより好ましく、０＜ｈ≦Ｈ／１２を満たすのがさらに好ましい。
【００７６】
また、封止部材１９は、少なくとも最大厚さ寸法が最大幅寸法よりも小さい。例えば、最大幅は、最大厚さの２倍以上となっている。なお、最大厚さは、基板１５から封止部材１９の突起の頂上までの高さとなるのが好ましい。このような扁平形状の封止部材によって、より低い高さからバットウイングの発光がもたらされる。また、偶発的な外力により光源素子１６が基板から取れてしまうといった不具合を抑制することができる。
【００７７】
このような、縦４５０ｍｍ、横４５０ｍｍ、天井設置面から発光面までの高さが２０ｍｍの照明灯具１０の一実施例として、縦２４×横２４の計５７６個の光源素子１６を配置したものは、全光束が４５００ｌｍ、色温度５０００Ｋ、重量１．９４ｋｇ、となった。つまり、一実施例における照明灯具１０は、全光束が４０００ｌｍ以上であるか、床に最も近い面である発光面の面積が２０２５００ｍｍ２以上であるか、光源素子が５００個以上配されているか、重量が２．０ｋｇ未満であるか、の一または複数を満たす軽量大型照明灯具の一例である。
【００７８】
また、発光面が、縦１５０ｍｍ、横６００ｍｍである点で異なる照明灯具１０の他の実施例として、縦８×横３２の計２５６個の光源素子１６を配置したものは、全光束が３４５０ｌｍ、色温度２７００Ｋ、重量１．０９ｋｇとなった。つまり、他の実施例における照明灯具１０は、全光束が３０００ｌｍ以上であるか、床に最も近い面である発光面の面積が９００００ｍｍ２以上であるか、光源素子が２００個以上配されているか、重量が１．５ｋｇ未満であるか、の一または複数を満たす軽量大型照明灯具の一例である。
【００７９】
次に、本願に係る建築物１の建設において照明灯具１０の設置工程を説明する。図１２は、天井材４０、配線６０、ソケット７０、照明灯具１０の接続関係を天井面側から俯瞰した態様で示している。配線６０は、空調装置９０と接続するコネクタが設けられた端とは反対側の他端において、照明灯具１０と接続するためのコネクタが設けられる。なお、ここでのコネクタは、空調装置９０に接続するコネクタと同種類のものであってもよく、別種類のものえあってもよい。なお、便宜的に区別するために、空調装置９０に接続するコネクタを第１コネクタ、照明灯具１０に接続するコネクタを第２コネクタ、と呼ぶことがある。
【００８０】
天井工事において、天井裏に配線を通す作業は、電気工事士の資格を有する配線工事作業者によって行われる。また、空調装置９０と配線５０との接続作業も、電気工事士の資格を有する空調設置工事作業者によって行われる。
【００８１】
一方で、第１コネクタ及び第２コネクタ付きの配線６０は、数メートル以上の長さを有する配線ケーブルとして、事前に用意しておくことができる。また、配線ケーブルとしては、例えば、給電と通信の双方を行うことのできるＬＡＮケーブルを用いることができる。第１コネクタや第２コネクタ等の感電防止接続器具を付けた配線６０を用いれば、照明灯具１０を配線６０に接続する作業は、電気工事士の資格を有する者でなくても行うことができる。つまり、配線５０と空調装置９０を接続する作業が済んでいれば、電気工事士の資格を有する者でなくても、照明灯具１０に電源を供給するための配線接続作業を含め、照明灯具１０の設置作業を行うことができる。
【００８２】
図１２に示されるように、照明灯具１０を設置するために設けられる開口は天井材４０に比べて小さい。また、照明灯具１０の発光面と比べても十分に小さい開口である。なお、本明細書において、発光面の面積に対して開口が１／３以下であることを、十分に小さいと言うものとする。また、発光面の面積に対して開口が１／５以下であることを、非常に小さいと言うものとする。また、発光面の面積に対して開口が１／１０以下であることを、極めて小さいと言うものとする。
【００８３】
照明灯具１０を設置するための開口は、例えば、直径１０ｃｍ〜１５ｃｍの円形で形成される。また、開口の形状は円形でなくてもよく、最大径が１５ｃｍ以下の多角形であってもよい。また、ソケット７０等の大きさや形状に基づいて決定されればよい。なお、後述するが、照明灯具１０の取り付けのために、居室側から配線５０を手に取ることが出来るように、開口は作業員の腕が通せるだけの大きさを確保するのが好ましい。
【００８４】
開口の具体的な一例として、縦４５０ｍｍ、横４５０ｍｍ、天井設置面から発光面までの高さが２０ｍｍの照明灯具１０を設置するために、直径１５ｃｍの円形の開口が設けられる。従って、極めて小さい開口によって照明灯具１０を設置することが出来る。また別の一例として、縦１５０ｍｍ、横６００ｍｍ、天井設置面から発光面までの高さが２０ｍｍの照明灯具１０を設置するために、１２．５ｃｍの円形の開口が設けられる。従って、非常に小さい開口によって照明灯具１０を設置することが出来る。
【００８５】
なお、天井材４０は予め開口が設けられたものである必要はない。開口の無い状態の天井材４０を用意し、内装工事を行う現場で作業員が天井材４０に穴を空けて開口を設ける方が一般的である。開口のない天井材４０に対し、適宜開口を設ける作業を行えばよい。どのような天井設置器具を設置するかによって用意すべき開口の形状も異なり得る。よって、開口は、天井材４０を吊り材２０で固定して天井に取り付けるときに設ければよく、あるいは、天井を形成した後で設けてもよい。
【００８６】
居室空間に存在する作業員によって居室空間内に照明灯具１０とソケット７０とが準備され、照明灯具１０のＤＣハーネス１４をソケット７０に差し込む。また、ソケット７０の嵌合部と照明灯具１０の嵌合部とによって、照明灯具１０とソケット７０とが嵌め合って固定される。そして、配線６０の第２コネクタをソケット７０に差し込むことで、照明灯具１０は電気的に接続され、空調装置９０を介して外部電源からの電源電圧の供給を受けることができる。
【００８７】
ソケット７０は、配線６０の第２コネクタと接続する接続部としてのコネクタ受け部を有する。居室空間に存在する作業員は、天井裏空間を通る配線６０を居室空間内に引っ張り出して接続作業を行えばよい。なお、照明灯具１０が発光の強度や色調を調節する調光機能を有する場合に備えて、ソケット７０には調光の制御を行う調光ドライバ装置と接続する接続部としてのコネクタ受け部を別に有してもよい。なお、便宜的に区別するために、電源供給用のコネクタ受け部を電源用コネクタ受け部、調光用のコネクタ受け部を調光用コネクタ受け部、と呼ぶことがある。
【００８８】
また、ソケット７０は、留め具７１を有しており、居室空間に存在する作業員が、この留め具７１によってソケット７０を天井材４０に設置する。留め具７１はバネ性（弾性）を有しており、これを天井面側（居室空間側）から天井材４０の開口に通して貫通させる。貫通した後は、留め具７１が天井材４０の天井裏面に掛かり、従って荷重が天井材４０に掛かるようになる。天井４に照明灯具１０が取り付けられると、１の照明灯具１０及び１のソケット７０の荷重は、１の天井材４０に掛かることとなる。なお、留め具７１は、バネ性を有する構造に限らず、天井材４０に荷重が掛かる構造であればよい。
【００８９】
なお、配線６０のコネクタとソケット７０とを接続する作業と、ソケット７０と照明灯具１０とを接続する作業と、はいずれが先であってもよい。また、ソケット７０を天井材４０に取り付ける作業は、照明灯具１０をソケット７０に接続する前でも、接続した後であってもよい。また、ソケット７０は、予め照明灯具１０と一体となって形成されていてもよい。つまり、ソケット付きの照明灯具１０と、配線６０の第２コネクタとを接続するようにしてもよい。
【００９０】
一実施例として、直径１５０ｍｍの円形の開口に取り付けられるソケット７０は、留め具７１を除いて開口を通る貫通領域が直径１４８ｍｍの円形であり、天井面と接する天井面側が直径１６０ｍｍの円形である。また、縦４５０ｍｍ、横４５０ｍｍ、天井設置面から発光面までの高さが２０ｍｍの照明灯具１０の重量と合わせて、天井材４０に掛かる荷重は２．００ｋｇとなった。
【００９１】
また、他の一実施例として、直径１２５ｍｍの円形の開口に取り付けられるソケット７０は、留め具７１を除いて開口を通る貫通領域が直径１２３ｍｍの円形であり、天井面と接する天井面側が直径１３０ｍｍの円形である。また、縦１５０ｍｍ、横６００ｍｍ、天井設置面から発光面までの高さが２０ｍｍの照明灯具１０の重量と合わせて、天井材４０に掛かる荷重は１．１０ｋｇとなった。
【００９２】
一つの目安として、天井材４０に掛かる荷重が３．０ｋｇ未満の天井設置器具は、吊り材２０による固定を要さずに天井に設置することができる。この点で、上述したいずれの実施例も、ソケット７０と照明灯具１０とが天井材４０に設置され、その合計荷重は３．０ｋｇ未満を満たす。
【００９３】
このように、照明灯具１０の設置工事は、吊り材２０による固定を要さないため、天井裏にある配線６０を居室空間に引っ張り出せるだけの開口が設けられていればよい。言い換えると、照明灯具１０を天井４に設置する作業をするには、腕が通せるサイズの開口があればよい。
【００９４】
また、電気工事士の資格を有する者でなくても照明灯具１０と配線６０との接続作業を行うことができる。言い換えると、この接続作業は、電気工事士の資格を有さない者であっても実行することが認められる方法で行われる。このことはつまり、建築物１の建設において、空調装置９０の設置工事と並行して、照明灯具１０の設置作業を効率的に進めることができることを意味する。つまり、電気工事士の資格を有する者は空調装置９０の配線作業を行い、資格を有さない者がその周囲の照明灯具１０の設置作業を行うといったように分担し、照明灯具１０と空調装置９０の設置工事をまとめて行うことが可能となる。なお、照明灯具１０の設置工程は、空調装置９０の設置工程より前であってもよい。
【００９５】
このようにして照明灯具１０及び空調装置９０が設置された居室では、図２に示すように、空調装置９０が、その近傍に位置する照明灯具１０への電源供給を制御する効率的なシステムが構築できる。図２の例であれば、各領域Ａ〜Ｄにおいて、その領域に設置された空調装置９０が、その領域に設置された照明灯具１０への電源供給を制御している。これにより、空調装置９０は、自らの空調範囲における照明の制御も行うことが出来るようになる。
【００９６】
天井４に設置される複数の照明灯具１０は、その照明灯具１０から最も近い位置にある空調装置９０に、配線６０を介して接続されるのが好ましい。また、空調装置９０と、その空調装置９０に最も近い照明灯具１０との距離は、１．０ｍ以内であることが好ましい。図２の居室における照明灯具１０と空調装置９０との接続関係は、これを満たしている。
【００９７】
また、空調装置９０は全てのコネクタ受け部９４で照明灯具１０と接続する必要はなく、その居室のレイアウトに応じた適当な数の照明灯具１０と接続すればよい。接続する照明灯具１０を変更する際も、接続している配線６０を外して、新たに接続する照明灯具１０の配線６０をコネクタ受け部９４に差し込めばいいため、空調装置９０からの制御の対象となる照明灯具１０の変更が容易である。特に、照明灯具１０に軽量大型照明灯具を用いることで、例えば、躯体工事が終わった後に照明灯具１０の配置場所や数を変更したいとなっても、吊り材を新たに用意する必要がなく、変更に柔軟に対応できる。そして、空調装置９０であれば、電源供給を制御する照明灯具１０の数の変更にも柔軟に対応することができる。
【００９８】
また、各照明灯具１０が空調装置９０の各コネクタ受け部９４に接続される例を説明したが、コネクタ受け部９４に接続された配線６０と接続する照明灯具１０と、他の照明灯具１０とが別の配線で繋がり、リレーする形で電源供給が行われてもよい。この場合、最低限１つのコネクタ受け部９４が設けられていれば、複数の照明灯具１０への電源供給が可能である。また、照明灯具１０同士の接続は、空調装置９０から電源供給を受けるために照明灯具１０と接続する第１コネクタを一端に設け、他端に第２コネクタを設けた配線６０で対応できる。いずれにしても、配線６０は空調装置９０から電源供給を受ける照明灯具１０の数分用意される。また、空調装置９０は、近傍に設置された複数の照明灯具１０への電源供給を制御する役割を果たす。なお、１台の空調装置９０から、その近傍にある４台以上の照明灯具１０へと電源要求されるのが好ましい。
【００９９】
図１３は、図２の居室における照明灯具１０及び空調装置９０の出力を管理する機器制御システム１０００の例である。機器制御システム１０００は、領域Ａ〜Ｄに設置された複数の空調装置９０、各空調装置９０に接続する複数の照明灯具１０、各空調装置を操作するための操作部１００、及び、建築物１あるいは居室全体の空調及び照明を管理するリモートサーバ５００を有する。この機器制御システム１０００では、空調装置９０は、操作部１００及びリモートサーバ５００と通信可能に接続している。また、空調装置９０は、照明接続部９９を介して接続している照明灯具１０の動作を制御することができる。操作部１００あるいはリモートサーバ５００からの指示命令を空調装置９０の操作受付部９５１で受け付け、空調装置９０が、自身及び自身と接続する照明灯具１０の出力制御を行う。なお、機器制御システム１０００においてリモートサーバ５００は必須ではない。
【０１００】
このような機器制御システム１０００によって、例えば、ユーザが操作部１００を用いて、空調装置９０と照明灯具１０の一括操作を行うことができる。居室のある領域の空調装置９０を動作させるときに、併せて、その空調装置９０の近傍の照明灯具１０を付けるといった同期制御を、ユーザは操作部１００に用意された操作ボタンを押下するだけで指示することができる。なお、ここでの操作ボタンは、ハードウェアキーで実現されてもよく、また、画面のソフトウェアキーで実現されてもよい。同期の対象が近傍の照明灯具１０のため、離れた位置にある（別の離れた領域にある）照明灯具１０まで一緒に付けずに済み、省エネルギーにも貢献することができる。
【０１０１】
従来であれば、居室の壁３には、空調装置１０を操作する操作部と、照明灯具１０のＯＮ／ＯＦＦを操作するスイッチとが、別々に用意され、まとめて操作するといったことが出来なかった。しかし、このような機器制御システム１０００であれば、その居室を区切る領域単位で、その領域内にある複数の照明灯具１０と１つの空調装置９０とを、連携して制御することができ、操作部とスイッチとがまとまった操作画面をユーザに提供することができる。
【０１０２】
なお、図１３の例では１台の操作部１００によって、１つの空調装置９０と、その空調装置９０に繋がる複数の照明灯具１０を制御しているが、これに限らず、１台の操作部１００によって、１つの領域に設置される複数の空調装置９０と、その複数の空調装置９０に繋がる複数の照明灯具１０とを制御してもよい。つまり、１つの空調装置９０という単位ではなく、１つの領域単位で操作部１００を設けてもよい。また、全ての領域を、領域単位で操作できる１台の操作部１００で構成されてもよい。オフィスビルの広い居室空間では、１つの操作部によって、領域内に設置された複数台の空調装置が操作されることは珍しくない。
【０１０３】
図１４は、居室内に設置される複数の照明灯具１０及び複数の空調装置９０を、１つの操作部１００で領域毎に操作する操作画面の例である。このように、「エリアＡ」や「エリアＢ」など各領域に対する領域名が表示され、領域毎に、照明と空調のＯＮ／ＯＦＦをまとめて操作する一括操作ボタン１０１、照明だけのＯＮ／ＯＦＦをまとめて操作する照明操作ボタン１０２、及び、空調だけのＯＮ／ＯＦＦをまとめて操作する空調操作ボタン１０３が設けられる。これらの操作ボタンは、照明と空調をまとめて操作するか、個別に操作するかを、ユーザが直感的に認識できる文字や絵などのシンボルが表示される。また、空調の設定温度を調整する温度調節ボタン１０４や、あるいは、照明が調光機能を有する場合はさらに、照明の強弱を調整する明るさ調節ボタン１０５などを有する。このような操作画面を操作部１００が表示することで、照明用のスイッチと空調用のコントローラを別々に壁３に取り付けなくてもよく、ユーザの操作性も向上する。
【０１０４】
＜第二実施形態＞
次に、第二実施形態に係る建築物における空調装置２９０について説明する。図１５は、空調装置２９０の斜視図である。また、図１６は、空調装置２９０のハードウェア構成を説明するためのブロック図である。
【０１０５】
第二実施形態の空調装置２９０は、コネクタ受け部として、照明灯具１０への電源電圧の供給のために設けられた第１コネクタ受け部９４を有する点では第一実施形態と同様であり、さらに、照明灯具１０の調光制御のために設けられた第２コネクタ受け部２９４を有する点が、第一実施形態とは異なる。なお、１つのコネクタ受け部で、通電及び通信を行える配線と接続し、電源供給及び調光制御が行えるようにしてもよい。つまり、第１コネクタ受け部９４及び第２コネクタ受け部２９４を１つにまとめたコネクタ受け部で実現してもよい。またあるいは、調光制御のためのコネクタ受け部を有し、電源供給のためのコネクタ受け部については設けないようにしてもよい。この場合、照明灯具１０は、空調装置２９０からではなく、別のルートで電源供給を受けられるよう配線接続される。
【０１０６】
また、第２コネクタ受け部２９４を有したことに伴って、照明接続部２９９は、各照明灯具１０への電源電圧の供給のための第１〜第８照明接続部に加えて、さらに、各照明灯具１０の調光制御のための第１〜第８調光接続部が設けられている。また、制御部２９５には、照明灯具１０の調光を制御するためのドライバプログラムが搭載され、このドライバプログラムに基づいて、照明灯具１０に対する調光制御を実行する調光制御部９５４が機能する。
【０１０７】
このように、第二実施形態においては、空調装置２９０において、コネクタ受け部に接続された照明灯具１０に対する電源電圧の供給だけでなく、調光制御も行うことが出来る。例えば、空調装置９０が冷房運転で動作している場合と、暖房運転で動作している場合とで、照明の色温度が変化するように制御することができる。例えば、冷房運転中は、照明を青色っぽい白色となるように色温度を調整することでユーザに視覚からの冷涼感を与え、暖房運転中は、照明をオレンジ色っぽい白色となるように色温度を調整することでユーザに視覚からの温感を与えることが出来る。
【０１０８】
以上、本発明に係る建築物、建築物の建設方法、及び、建設される建築物における照明灯具の設置方法等を、各実施形態に基づき説明してきたが、本発明の技術思想は、説明してきた具体的な実施形態に限定されるわけではない。実施形態において、本発明に係る照明灯具が居室に設置される例を説明したが、設置場所は居室に限らず、例えば、正面玄関やホールといった場所であってもよい。居室空間とは、居室に限定するものではなく、天井を境に天井裏と反対側に存在する空間のことを示してもよい。
【０１０９】
また、各実施形態により開示された全ての構成要素を必要十分に備えることを必須とせずとも、本発明は適用され得る。当業者、あるいは、発明の属する技術分野において、設計の自由度の範囲であれば、請求の範囲に、実施形態により開示された構成要素の一部が記載されていないとしても、本発明の適用は可能であり、本明細書はこれを含むものであることを前提として発明を開示する。
【０１１０】
各実施形態に記載の建築物は、オフィスビル、高層ビル等の建築の分野で使用することができる。
【符号の説明】
【０１１１】
１  建築物、２  床、３  壁、４  天井、５  窓、１０  照明灯具、１１  ベースプレート、１２  カバー、１３  緩衝部、１４  ＤＣハーネス、１５  基板、１６  光源素子、１７  発光素子、１８  波長変換部材、１９  封止部材、２０，３０  吊り材、４０  天井材、５０，６０  配線、７０  ソケット、７１  留め具、８０  躯体、９０，２９０  空調装置、９１  ケーシング、９２  天井面パネル、９３  固定部、９４，２９４  コネクタ受け部、９５  制御部、９５１  操作受付部、９５２  空調動作制御部、９５３  照明電源制御部、９５４  調光制御部、９６  空気調和部、９７  電源供給部、９８  コンバータ、９９，２９９  照明接続部、１０００  機器制御システム、１００  操作部、１０１  一括操作ボタン、１０２  照明操作ボタン、１０３  空調操作ボタン、１０４  温度調節ボタン、１０５  明るさ調節ボタン、５００  リモートサーバ
【図１】
2020129828.tif 000003
【図２】
2020129828.tif 000004
【図３】
2020129828.tif 000005
【図４】
2020129828.tif 000006
【図５】
2020129828.tif 000007
【図６】
2020129828.tif 000008
【図７】
2020129828.tif 000009
【図８】
2020129828.tif 000010
【図９】
2020129828.tif 000011
【図１０】
2020129828.tif 000012
【図１１】
2020129828.tif 000013
【図１２】
2020129828.tif 000014
【図１３】
2020129828.tif 000015
【図１４】
2020129828.tif 000016
【図１５】
2020129828.tif 000017
【図１６】
2020129828.tif 000018
【図１７】
2020129828.tif 000019
【国際調査報告】
2020129828.tif 000020
2020129828.tif 000021